(57)【特許請求の範囲】
【請求項１】
装着時に装着者の手の手掌側に位置するように設けられる受球面側部材（２）と、
前記手掌側とは反対側の手甲側であって、
装着者の手の各指部を覆うように設けられる背面側部材（３）と、
装着者の手の手甲部及び、手首部を覆うように設けられる手甲被部材（４）とを備え、
前記背面側部材（３）と手甲被部材（４）は別部材で構成され、
前記手甲被部材（４）は、
前記背面側部材（３）の小指基部外側部（３ａ）と固着される第１延在部と、
前記背面側部材（３）の親指基部外側部（３ｂ）と固着される第２延在部と、
前記背面側部材（３）の小指基部外側部（３ａ）と親指基部外側部（３ｂ）の間であって、各指部のいずれかの中心線上又は、指部間に固着される第３延在部とを有し、
前記第１延在部と第３延在部の間及び、前記第２延在部と第３延在部との間であって、前記背面側部材と固着される側とは反対の各々の延在部の股側には前記背面側部材（３）が存在しない開口が形成されていることを特徴とする野球用グラブ（１）。
【請求項２】
装着時に装着者の手の手掌側に位置するように設けられる受球面側部材（２）と、
前記手掌側とは反対側の手甲側であって、
装着者の手の各指部を覆うように設けられる背面側部材（３）と、
装着者の手の手甲部及び、手首部を覆うように設けられる手甲被部材（４）とを備え、
前記背面側部材（３）と手甲被部材（４）は別部材で構成され、
前記手甲被部材（４）は、
前記背面側部材（３）の小指基部外側部（３ａ）と固着される第１延在部と、
前記背面側部材（３）の親指基部外側部（３ｂ）と固着される第２延在部と、
前記背面側部材（３）の人差し指の中心線上に固着される第３延在部とを有し、
前記第１延在部と第３延在部の間及び、前記第２延在部と第３延在部との間であって、前記背面側部材と固着される側とは反対の各々の延在部の股側には前記背面側部材（３）が存在しない開口が形成されていることを特徴とする野球用グラブ（１）。
【請求項３】
手甲被部材（４）を合成樹脂で形成したことを特徴とする請求項１又は、２に記載の野球用グラブ（１）。
【発明の詳細な説明】
【０００１】
【発明の属する技術分野】
本発明は、野球用グラブの手口ベルトの改良に関するものである。
【０００２】
【従来の技術】
従来の野球用グラブ１の手口ベルト１１は、図５に示すように背面側部材１０の親指基部下方１０ｂから小指基部下方１０ａに背面側部材１０を延在させ、その端部を係止し形成したものや、背面側部材１０の親指基部下方１０ｂから小指基部下方１０ａに背面側部材１０を延在させる部分を別体に形成し、その両端部を係止したものが一般的であった。
【０００３】
手とグラブのフィッティングは、各指部への指の挿入と手口ベルトによる手甲部の固定によりなされる。従って、指部内での指の固定方法や手口ベルトの固定方法に各種の工夫をしたものが開示されている。
【０００４】
手口ベルトを改良したものでは、手口ベルト部に挿入した手の両側を挟持するベルト体を取り付けた野球用捕球具が実開平６−５７３７８号に、手口ベルト部の外皮と内皮との間に締付部材を挿入し、その両端を外部に引き出し、引出量を任意の大きさに設定し保持するグラブが特開平９−２８８５５号に開示されている。
【０００５】
また、前記図５に示すような手口ベルトの上端と背面側部材の各指基部との間の開口部がなく、背面全体を覆う構造のグラブにおいても、手甲部の固定に工夫をしたものが開示されている。例えば、実公昭５６−４６７８０号では、背面全体を覆う背面側部材の手入れ部を３片に分離し、該３部分を帯状片で縛止するものが示されている。特開平７−２１３６７５号では、背面側部材の指挿入部の下端部から手首相当箇所にかけての部位全体を伸縮性素材で形成し、指挿入部の小指部下端部から親指部下端部の間に緊締用ベルトを形成したものが示されている。
【０００６】
【発明が解決しようとする課題】
野球用グラブに要求される特性として、手入れ感が良く、捕球時の屈曲性が良く、軽くて耐久性があり型崩れしにくいものが望まれる。
【０００７】
ところが、前記実開平６−５７３７８号や特開平９−２８８５５号のように、手口ベルト部を緊締するものは、手首部のフィッティングは調節可能であるが、強く締付けると捕球動作を悪くすることになり、手入れ感も悪くなる。
【０００８】
また、実公昭５６−４６７８０号のように、背面側部材が背面全体を覆うものは、タッチプレーの際、手の甲を怪我することは無くなるが、捕球時のグラブの屈曲性が悪くなり重量も重くなる。また、グラブ内の通気性が悪くなり、暑く感じるといったことがある。この点を改良したものが特開平７−２１３６７５号であるが、手口を緊締用ベルトで緊締するものであり、前記実開平６−５７３７８号や特開平９−２８８５５号と同様、手入れ感が悪くなる。
【０００９】
【課題を解決するための手段】
そこで上記課題を解決するために、本発明の請求項１に係る野球用グラブは、装着時に装着者の手の手掌側に位置するように設けられる受球面側部材と、前記手掌側とは反対側の手甲側であって、装着者の手の各指部を覆うように設けられる背面側部材と、装着者の手の手甲部及び、手首部を覆うように設けられる手甲被部材とを備え、前記背面側部材と手甲被部材は別部材で構成され、前記手甲被部材は、前記背面側部材の小指基部外側部と固着される第１延在部と、前記背面側部材の親指基部外側部と固着される第２延在部と、前記背面側部材の小指基部外側部と親指基部外側部の間であって、各指部のいずれかの中心線上又は、指部間に固着される第３延在部とを有し、前記第１延在部と第３延在部の間及び、前記第２延在部と第３延在部との間であって、前記背面側部材と固着される側とは反対の各々の延在部の股側には前記背面側部材が存在しない開口が形成されていることを特徴とするものである。
又、本発明の請求項２に係る野球用グラブは、装着時に装着者の手の手掌側に位置するように設けられる受球面側部材と、前記手掌側とは反対側の手甲側であって、装着者の手の各指部を覆うように設けられる背面側部材と、装着者の手の手甲部及び、手首部を覆うように設けられる手甲被部材とを備え、前記背面側部材と手甲被部材は別部材で構成され、前記手甲被部材は、前記背面側部材の小指基部外側部と固着される第１延在部と、前記背面側部材の親指基部外側部と固着される第２延在部と、前記背面側部材の人差し指の中心線上に固着される第３延在部とを有し、前記第１延在部と第３延在部の間及び、前記第２延在部と第３延在部との間であって、前記背面側部材と固着される側とは反対の各々の延在部の股側には前記背面側部材が存在しない開口が形成されていることを特徴とするものである。
【００１１】
また、前記手甲被部材を可撓性合成樹脂で形成し、手に接する部分に手当りの良い起毛生地を添着したり、合成樹脂スポンジを用いて成形することで、手入れ感が良く、捕球時の耐後屈性が良く、軽くて耐久性があり型崩れしにくいグラブとすることができる。
【００１２】
【発明の実施の形態】
本発明の野球用グラブは、受球面側部材、背面側部材および手甲被部材から構成している。各部材は、従来の野球用グラブの材料である天然皮革、合成皮革や人工皮革を用いて成形することができるが、手甲被部材は可撓性合成樹脂シートを型成形で形成したり、可撓性合成樹脂を射出成形で形成したり、合成樹脂スポンジを熱成形で形成することができる。
【００１３】
受球面側部材および背面側部材は、従来の野球用グラブと同様に成形するが、背面側部材は、手口ベルトが無く、手口部から各指基部まで開口した開口部を形成し、受球面側部材と一体化される。
【００１４】
手甲被部材は、背面側部材の開口した手口部を覆い、該手口部の左右側部から背面側部材の小指基部外側部および親指基部外側部に延在させ、かつ、手口部から背面側部材の各指部の中心線に向かう方向および各指部間に向かう方向の少なくとも１方向に延在させ、接着または縫着する。なお、手甲被部材の手口部を手首下方まで延在させ、手首部を大きく覆うようにすることもできる。
【００１５】
手甲被部材を可撓性合成樹脂シートの型成形により形成する場合は、柔軟性と耐久性の点からナイロン樹脂、ウレタン樹脂、ポリエーテルブロックアミド樹脂等のシートを用い、型抜きして形成する。なお、手に接する部分に、手当りの良い起毛生地やスポンジシート等を接着または縫着する。
【００１６】
手甲被部材を可撓性合成樹脂の射出成形により形成する場合は、ナイロン、ポリウレタンエラストマー、ポリアミドエラストマー等を用いて射出成形し、手に接する部分に、手当りの良い起毛生地やスポンジシート等を接着または縫着する。
【００１７】
手甲被部材を合成樹脂スポンジの熱成形により形成する場合は、ＥＶＡ、ポリウレタンのスポンジを用いて熱成形（高温のプレス成形）する。なお、手に接する部分を５〜１０ｍｍ、側面部を２〜５ｍｍの厚さに成形すれば、手に接する部分が柔かくなり、手当りの良い別部材を着ける必要がなくなる。
【００１８】
手甲被部材の手口部から背面側部材の各指部の中心線に向かう方向および／または各指部間に向かう方向に延在させる数は、野球の守備位置の特徴に合せて形成することが望ましい。即ち、強い打球を捕球することが少ない外野手用グラブでは１方向のみ延在させ、内野手用グラブでは１方向または２方向に延在させる。なお、延在させる長さは、指部の中央部まで延在させると、グラブの重量は重くなるが、後屈し難く型崩れしにくいグラブとすることができる。
【００１９】
前記手甲被部材は、捕手用ミットについても同様に形成できるが、繰り返し強い投球を捕球するため、３方向に延在させることが望ましい。即ち、手甲被部材の手口部の左右側部から背面側部材の小指基部外側部および親指基部外側部に延在させるものを含めて、５方向に延在させることになる。
【００２０】
【実施例】
以下、本発明の実施例を、図面に基づいて説明する。図１は、一実施例の背面図、図２は図１の親指側側面図、図３は図１の子指側側面図である。本実施例の野球用グラブ１は、受球面側部材２および背面側部材３を天然皮革を用いて従来のグラブと同様に形成している。ただし、背面側部材３には手口ベルト１１が無く、受球面側部材２の手口部２ａから各指基部まで開口した開口部５を形成している。
【００２１】
手甲被部材４は、厚さ２ｍｍのナイロン樹脂シートを型抜きしたもので、手口部４ａの左右側部から背面側部材３の小指基部外側部３ａ、親指基部外側部３ｂおよび手口部４ａから背面側部材３の人差し指の中心線沿って、人差し指の約半分の長さまで延在させている。該延在させた部分と背面側部材３が重なる部分を縫着し取付けている。
なお、手甲被部材４の手口部４ａは、受球面側部材２の手口部２ａよりも手首下方約５ｃｍまで延在させ、手首部を覆うようにしている。また、手に接する部分にボア６を接着している。
【００２２】
図４は、他の実施例の背面図である。本実施例の野球用グラブ１においても、受球面側部材２および背面側部材３は天然皮革を用いて形成し、手甲被部材４をナイロン樹脂シートで形成している。手甲被部材４は、背面側部材３の小指基部外側部３ａおよび親指基部外側部３ｂに延在させ、かつ、手口部４ａから背面側部材３の子指の中心線に向かう方向、および人差し指と親指との間に向かう方向に延在させたものであり、手に接する部分にはボア６を接着している。
【００２３】
【発明の効果】
野球用グラブの手口ベルトを本発明の手甲被部材のようにすることで、手入れ感が良く、捕球時の屈曲性が良く、軽くて耐久性があり型崩れしにくい野球用グラブとすることができる。
【００２４】
手甲被部材の手口部を手首下方まで延在させ、手首部を大きく覆うようにすると、野球用グラブの手入れ感の向上とともに、タッチプレー等での手の保護ができる。
【００２５】
また、手甲被部材の手口部から背面側部材の各指部の中心線に向かう方向および／または各指部間に向かう方向に延在させる長さ、数を各守備位置の特徴に合せて形成することで、各ポジション別最適設計ができる。
【００２６】
手甲被部材を合成樹脂で形成することで、立体形状に容易に加工することができ、手入れ感が良く、軽くて耐久性があり型崩れしにくい野球用グラブとすることができる。
【図面の簡単な説明】
【図１】  一実施例の背面図。
【図２】  図１の親指側側面図。
【図３】  図１の子指側側面図。
【図４】  他の実施例の背面図
【図５】  従来の野球用グラブの背面図。
【符号の説明】
１  野球用グラブ
２  受球面側部材
２ａ  手口部
３  背面側部材
３ａ  小指基部外側部
３ｂ  親指基部外側部
４  手甲被部材
４ａ  手口部
５  開口部
６  ボア
１０  背面側部材
１０ａ  小指基部下方
１０ｂ  親指基部下方
１１  手口ベルト
【図１】
0003989691.tif 000002
【図２】
0003989691.tif 000003
【図３】
0003989691.tif 000004
【図４】
0003989691.tif 000005
【図５】
0003989691.tif 000006